(57)【要約】  本願の実施例は画素ディスプレイモジュールを提供することによって、従来技術においてＰＰＩが高く且つ表示が均一な表示装置の製造が困難である課題を解決する。当該画素ディスプレイモジュールは、アレイ状に配列された複数の画素ユニットグループを含み、各画素ユニットグループはアレイ状に配列された４つのサブ画素を含む。ここで、画素ユニットグループアレイの１つの対角線上に位置する２つの画素は同一である第１の色の光を放出し、画素ユニットグループアレイの他の１つの対角線上に位置する２つの画素はそれぞれ第２の色の光と第３の色の光を放出する。さらに、第１の方向において隣接する２つの前記画素ユニットグループは、前記第１の方向と直交する第２の方向においてずれるように配列される。これにより、同じ色の光を位置的に互いにずらして、表示装置の表示を均一にすることができる。
2020533648.tif 000002
【特許請求の範囲】
【請求項１】
アレイ状に配列された複数の画素ユニットグループを含み、各前記画素ユニットグループはアレイ状に配列された４つのサブ画素を含み、
各前記画素ユニットグループの１つの対角線上に位置する２つの前記サブ画素は同一である第１の色の光を放出し、各前記画素ユニットグループの他の１つの対角線上に位置する２つの前記サブ画素はそれぞれ第２の色の光と第３の色の光を放出し、
第１の方向において隣接する２つの前記画素ユニットグループは、前記第１の方向と直交する第２の方向においてずれるように配列される
ことを特徴とする画素ディスプレイモジュール。
【請求項２】
前記第１の方向において隣接する２つの前記画素ユニットグループは、前記第２の方向に沿って１つの前記サブ画素の距離だけずれる
ことを特徴とする請求項１に記載の画素ディスプレイモジュール。
【請求項３】
前記ずれることにより、前記第２の方向においてずれる２つの前記画素ユニットグループにおける、隣接し且つ同一の列又は同一の行に位置する２つのサブ画素は同じ色の光を放出する
ことを特徴とする請求項２に記載の画素ディスプレイモジュール。
【請求項４】
前記第２の方向においてずれる２つの前記画素ユニットグループにおける、隣接し且つ同一の行又は同一の列に位置する２つのサブ画素は同一である第１の色の光を放出する
ことを特徴とする請求項３に記載の画素ディスプレイモジュール。
【請求項５】
前記第１の色の光は緑色の光である
ことを特徴とする請求項４に記載の画素ディスプレイモジュール。
【請求項６】
前記第１の色の光は緑色の光であり、前記第２の色の光と前記第３の色の光はそれぞれ赤色の光と青色の光であり、又は、
前記第１の色の光は青色の光であり、前記第２の色の光と前記第３の色の光はそれぞれ赤色の光と緑色の光であり、又は、
前記第１の色の光は赤色の光であり、前記第２の色の光と前記第３の色の光はそれぞれ緑色の光と青色の光である
ことを特徴とする請求項１乃至４のいずれか一項に記載の画素ディスプレイモジュール。
【請求項７】
前記画素ユニットグループは四角形である
ことを特徴とする請求項５に記載の画素ディスプレイモジュール。
【請求項８】
各前記画素ユニットグループは、第１の画素ユニットと第２の画素ユニットとを含み、
前記第１の画素ユニットと前記第２の画素ユニットとはそれぞれ、異なる色の光を放出する３つの前記サブ画素によって構成され、前記画素ユニットグループが発光する場合、前記第１の画素ユニットと前記第２の画素ユニットとは、前記画素ユニットグループにおける１つの対角線上の、それぞれ第２の色の光と第３の色の光を放出する２つの前記サブ画素を共用する
ことを特徴とする請求項７に記載の画素ディスプレイモジュール。
【請求項９】
各前記画素ユニットグループにおいて、列方向における２つのサブ画素の距離は、行方向における２つのサブ画素の距離の２倍である
ことを特徴とする請求項８に記載の画素ディスプレイモジュール。
【請求項１０】
前記画素ユニットグループにおける４つのサブ画素はいずれも正方形である
ことを特徴とする請求項７に記載の画素ディスプレイモジュール。
【請求項１１】
複数の開口領域を含み、
少なくとも１つの前記開口領域は、隣接する２つの画素ユニットグループにおいて隣接し且つ同一の行又は同一の列に位置する、同じ色の光を放出する２つのサブ画素に対応する
ことを特徴とする画素ディスプレイモジュールを製造するためのマスク。
【発明の詳細な説明】
【技術分野】
【０００１】
本願は、ディスプレイ技術分野に関し、具体的には画素ディスプレイモジュール及び画素ディスプレイモジュールを製造するためのマスクに関する。
【背景技術】
【０００２】
従来のディスプレイスクリーンのほとんどは三色のサブ画素を原色として用いて色を表示している。特に、ＲＧＢを三原色として採用するものが最も一般的である。赤Ｒ、緑Ｇ、青Ｂの３つのカラーチャンネルの変化及びそれらの重なりによって色の変化を表現することは、現在最も広く応用されているカラーシステムの一つである。
【０００３】
ディスプレイの性能は通常ディスプレイ解像度によって示されており、すなわち各次元において表示されることができる単独画素の絶対的数量（例えば、１９２０×１０８０）、又はインチごとにおける画素の相対的数量に関するディスプレイ密度（１インチあたりの画素数、ＰＰＩとも称される）で示される。
【０００４】
現在、高ＰＰＩ及び高解像度の表示装置はすでに表示技術分野における主流製品になっており、ＯＬＥＤの有機発光層は、ファインメタルマスク（ＦＭＭ）による蒸着技術によって製作されている。しかしながら、ＦＭＭを用いて有機材料に対してパターニングする作業精度において、各有機発光層の最小寸法が制限され、各有機発光層がＯＬＥＤの同一の面において形成されるため、隣接する画素の間に十分なスペースを空けなければ、隣接する有機発光層同士が重なってしまう。そのため、ファインメタルマスクと蒸着作業自身とによる制約、例えばマスクの孔をより小さくすることができないことにより、画素の配列によって高ＰＰＩを実現することはできても、蒸着を行う際、２枚以上のマスクを用いて蒸着することで、コストと製造時間が増えてしまう。
【発明の概要】
【発明が解決しようとする課題】
【０００５】
以上に鑑みて、本願の実施例は、従来技術においてＰＰＩが高く且つ表示が均一な表示装置の製造が困難である課題を解決するために、画素ディスプレイモジュール及び画素ディスプレイモジュールを製造するためのマスクを提供する。
【課題を解決するための手段】
【０００６】
本願の１つの態様によると、本願の一実施例により提供される画素ディスプレイモジュールは、アレイ状に配列された複数の画素ユニットグループを含み、各前記画素ユニットグループはアレイ状に配列された４つのサブ画素を含み、前記画素ユニットグループアレイの１つの対角線上に位置する２つの前記サブ画素は同一である第１の色の光を放出し、前記画素ユニットグループアレイの他の１つの対角線上に位置する２つの前記サブ画素はそれぞれ第２の色の光と第３の色の光を放出する。ここで、第１の方向において隣接する２つの前記画素ユニットグループは、前記第１の方向と直交する第２の方向においてずれるように配列される。
【０００７】
本願の他の態様として、本願の実施例が提供する画素ディスプレイモジュールを製造するためのマスクは、複数の開口領域を含み、少なくとも１つの前記開口領域は、隣接する２つの画素ユニットグループにおいて隣接し且つ同一の行又は同一の列に位置する、同じ色の光を放出する２つのサブ画素に対応する。
【発明の効果】
【０００８】
本願の実施例により提供される画素ディスプレイモジュールは、複数のアレイ状に配列された画素ユニットグループを含み、各画素ユニットグループにおいて、アレイの１つの対角線上に位置する２つのサブ画素は同一である第１の色の光を放出し、他の１つの対角線上に位置する２つのサブ画素はそれぞれ第２の色の光と第３の色の光を放出する。これにより、同じ色の光を放出する２つのサブ画素が位置的に互いにずれ、表示をより均一にすることができる。
【図面の簡単な説明】
【０００９】
【図１】本願の一実施例により提供される画素ディスプレイモジュールの構造模式図である。
【図２】本願の一実施例により提供される画素ディスプレイモジュールにおける画素ユニットグループの画素配列図である。
【図３】本願の一実施例により提供される画素ディスプレイモジュールにおいて隣接する２つの画素ユニットグループの配列図である。
【図４】本願の一実施例により提供される画素ディスプレイモジュールにおいて隣接する２つの画素ユニットグループの配列図である。
【図５】本願の一実施例により提供される画素ディスプレイモジュールにおいて隣接する２つの画素ユニットグループの配列図である。
【図６】本願の一実施例により提供される画素ディスプレイモジュールの構造模式図である。
【図７】本願の一実施例により提供される画素ディスプレイモジュールの構造模式図である。
【図８】本願の一実施例により提供される画素ディスプレイモジュールの画素ユニットグループにおける第１の画素ユニットと第２の画素ユニットとの配列図である。
【図９】本願の一実施例により提供される画素ディスプレイモジュールの画素ユニットグループにおける第１の画素ユニットと第２の画素ユニットとの配列図である。
【発明を実施するための形態】
【００１０】
以下、本願の実施例における図面を参照しながら、本願の実施例に係る技術案について明確且つ完全に説明する。明らかに、説明される実施例は本願の一部の実施例に過ぎず、すべての実施例ではない。本願の実施例に基づいて当業者が創造的な労働をせずに取得する他の実施例は、すべて本願の保護範囲に属する。
【００１１】
図１は、本願の一実施例により提供される画素ディスプレイモジュールの構造模式図である。当該画素ディスプレイモジュールはアレイ状に配列された複数の画素ユニットグループ１を含み、各画素ユニットグループ１はアレイ状に配列された４つのサブ画素を含む。図２に示すように、画素ユニットグループ１の１つの対角線上に位置するサブ画素２とサブ画素３とは同一である第１の色の光を放出し、画素ユニットグループ１の他の１つの対角線上に位置するサブ画素４とサブ画素５はそれぞれ第２の色の光と第３の色の光を放出する。
【００１２】
なお、同じ色の光を放出するサブ画素が画素ユニットグループ１のどの対角線上に位置するかは、実際のニーズや作業手法に応じて選択することができる。本願の一実施例において、画素ユニットグループ１の１つの対角線上に位置するサブ画素４とサブ画素５とは同一である第１の色の光を放出し、他の１つの対角線上に位置するサブ画素２とサブ画素３とはそれぞれ第２の色の光と第３の色の光を放出する。
【００１３】
本願の実施例により提供される画素ディスプレイモジュールはアレイ状に配列された複数の画素ユニットグループ１を含み、且つ各画素ユニットグループ１はアレイ状に配列された４つのサブ画素を含む。ここで、各画素ユニットグループにおける１つの対角線上に位置するサブ画素は同一である第１の色の光を放出し、他の１つの対角線上に位置する２つのサブ画素はそれぞれ第２の色の光と第３の色の光を放出する。これにより、同じ色の光を位置的に互いにずらし、表示装置の表示を均一にすることができる。
【００１４】
本願の一実施例により提供される画素ディスプレイモジュールにおいて、第１の方向において隣接する２つの前記画素ユニットグループは、前記第１の方向と直交する第２の方向においてずれるように配列される。本願の一実施例において、第１の方向は列方向であり、第２の方向は行方向であり、列方向において隣接する２つの画素ユニットグループ１は、行方向においてずれるように配列される。ここで、画素ユニットグループ同士がずれる方向は右方向であってもよく、左方向であってもよく、ずれる距離は行方向における１つのサブ画素の距離より小さい。つまり、列方向において隣接する２つの画素ユニットグループの中で、下にある画素ユニットグループ１の中の１つのサブ画素は、上にある画素ユニットグループ１の中の２つの画素の間に位置する。
【００１５】
ここで、人間がアレイ状に配列された画素ディスプレイモジュールを観察する際に目線が左右方向に移動する方向を画素ディスプレイモジュールの行方向と定義し、目線が上下方向に移動する方向を列方向と定義する。
【００１６】
なお、本願の実施例において、列方向において隣接する２つの画素ユニットグループ１が行方向において互いにずれる距離は、画素についての実際のニーズや作業手法に応じて選択することができる。ずれる距離は、行方向における１つのサブ画素の距離より小さくてもよく、行方向における１つのサブ画素の距離より大きくてもよく、行方向における１つのサブ画素の距離と同一であってもよく、本願はこれについて制限しない。
【００１７】
さらに、本願の実施例において、第１の方向が行方向であり且つ第２の方向が列方向である場合、隣接する２つの画素ユニットグループ１は列方向において一定の距離だけずれてもよい。ここで、ずれる距離は実際のニーズや作業手法に応じて選択することができるため、本願はこれについて制限しない。
【００１８】
本願の実施例により提供される画素ディスプレイモジュールにおいては、隣接する２つの画素ユニットグループ１がずれるように配列されることで、第１の色の光を放出するサブ画素と、第２の色の光を放出するサブ画素と、第３の色の光を放出するサブ画素とは、列方向又は行方向において均一に表示されることができる。
【００１９】
本願の一実施例により提供される画素ディスプレイモジュールによると、図３に示すように、第１の方向が列方向であり且つ第２の方向が行方向である場合、列方向において互いに隣接する２行の画素ユニットグループは行方向に沿って右へ１つのサブ画素の距離だけずれる。つまり、列方向において、下の行における１つ目の画素ユニットグループ１における１行目の１つ目のサブ画素２は、上の行における１つ目の画素ユニットグループ１における２行目の２つ目のサブ画素３の真下に位置し、且つ両者が同じ色の光を放出する。好ましくは、本願の一実施例において、第１の色の光を放出する。つまり、画素ユニットグループ１の１つの対角線上に位置する２つのサブ画素は同じ色の光を放出し、好ましくは、本願の一実施例において緑色の光を放出する。
【００２０】
本願の実施例により提供される画素ディスプレイモジュールによると、列方向において隣接する画素ユニットグループは行方向において互いに１つのサブ画素の距離だけずれるため、隣接する２つの画素ユニットグループの中で、列方向において隣接し且つ同一の列に位置する２つのサブ画素が同じ色の光を放出する。これにより、同じ色の光を放出する２つのサブ画素はマスク上の１つの開口を共用することができ、表示装置の開口率を向上させることができる。作業条件さえ満たせば、よりサイズの小さい画素ユニットを製作することが可能であり、表示装置のＰＰＩを向上させることができる。
【００２１】
なお、列方向において隣接する２つの画素ユニットグループの中の隣接する２つのサブ画素に同じ色の光を放出させるために、列方向において隣接する２つの画素ユニットグループが行方向で１つのサブ画素の距離だけずれるように設置する場合、下にある画素ユニットグループを上にある画素ユニットグループに対して左方向又は右方向のどちらにずらすかは、画素ユニットグループにおけるサブ画素の配列形態に基づいて決定することができる。本願の一実施例において、図４に示すように、列方向において隣接する２行の画素ユニットグループが行方向において互いにずれる場合、下の行にある画素ユニットグループは行方向に沿って左方向に１つのサブ画素の距離だけずらされている。つまり、下の行にある１つ目の画素ユニットグループの１行目の２つ目のサブ画素４は、上の行にある１つ目の画素ユニットグループの２行目の１つ目のサブ画素５の真下に位置する。したがって、本願はこれについて制限しない。
【００２２】
また、画素ディスプレイモジュールにおいてアレイ状に配列された画素ユニットグループ１に対して、隣接する２つの画素ユニットグループ１の中の隣接する２つのサブ画素に同じ色の光を放出させようとする場合、列方向において隣接する２つの画素ユニットグループ１が行方向に沿って互いに１つのサブ画素の距離だけずれるように設置できるだけでなく、行方向において隣接する２つの画素ユニットグループ１が列方向に沿って互いに１つのサブ画素の距離だけずれるように設置することによっても実現することができる。つまり、第１の方向が行方向であり、第２の方向が列方向である場合、図５に示すように、行方向において隣接する２つの画素ユニットグループ１が列方向に沿って１つのサブ画素の距離だけずれる。つまり、行方向において、右にある画素ユニットグループ１における２行目の１つ目のサブ画素５は、左にある画素ユニットグループ１における１行目の２つ目のサブ画素４のちょうど右側又はちょうど左側に位置するとともに、同一の色の光を放出する。このような複数の画素ユニットグループ１がアレイ状に配列されて構成する画素ディスプレイモジュールは図６に示す通りである。
【００２３】
なお、どのような方式によって行方向において隣接する２つの画素ユニットグループを列方向に沿ってずらすかは、画素ユニットグループにおけるサブ画素の配列形態に基づいて決定することができるため、本願はこれについて制限しない。
【００２４】
なお、前述の１つのサブ画素の距離とは、隣接する２つの画素ユニットグループが互いにずれる方向における１つのサブ画素の距離である。つまり、画素ユニットグループが行方向においてずれる場合、１つのサブ画素の距離Ｄは、１つのサブ画素自身の行方向における長さに、行方向において当該サブ画素と繋がっている左右両側の２つの隔離柱の長さを加えた値に等しく、図７に示す通りである。
【００２５】
本願の一実施例により提供される画素ディスプレイモジュールにおいて、複数の画素ユニットグループがアレイ状に配列されており、各画素ユニットグループはアレイ状に配列された４つのサブ画素によって構成される。ここで、画素ユニットグループアレイの１つの対角線上に位置する２つのサブ画素は同一である第１の色の光を放出し、他の１つの対角線上に位置する２つのサブ画素はそれぞれ第２の色の光と第３の色の光を放出する。なお、第１の色の光は緑色の光であり、第２の色の光と第３の色の光はそれぞれ赤色の光と青色の光である。
【００２６】
なお、第１の色の光、第２の色の光及び第３の色の光の色は、実際のニーズに応じて選択することができる。本願の他の実施例において、第１の色の光は青色の光であってもよく、第２の色の光と第３の色の光はそれぞれ赤色の光と緑色の光であってもよい。本願のもう１つの実施例において、第１の色の光は赤色の光であってもよく、第２の色の光と第３の色の光はそれぞれ緑色の光と青色の光であってもよく、本願はこれについて制限しない。
【００２７】
本願の一実施例により提供される画素ディスプレイモジュールにおいては、製造プロセスにおけるマスキング作業の難しさを緩和するために、画素ユニットグループを四角形にして、画素を全体的に規則的な四角形アレイになるように配列する。これにより、マスキング作業の難しさが緩和される。なお、四角形の長さと幅は実際のニーズと作業手法に基づいて選択することができ、本願の一実施例において画素ユニットグループは正方形であり、本願はこれについて制限しない。
【００２８】
また、画素ユニットグループを四角形にするために、画素ユニットグループにおける４つのサブ画素の形状を実際の応用シーンによって設計することができる。例えば、いずれも正方形にしてもよく、長方形にしてもよく、又は図７に示すように、一部を長方形にして一部を正方形にしてもよい。４つのサブ画素からなる画素ユニットグループの形状が四角形であればよいため、本願においては画素ユニットグループに含まれる４つのサブ画素の形状について制限しない。
【００２９】
本願の一実施例により提供される画素ディスプレイモジュールは、アレイ状に配列された複数の画素ユニットグループ１を含み、各画素ユニットグループ１は一列に分布する第１の画素ユニット６と第２の画素ユニット７とを含む。図８に示すように、第１の画素ユニット６と第２の画素ユニット７とはそれぞれ、異なる色の光を放出する３つのサブ画素から構成される。ここで、第１の画素ユニット６と第２の画素ユニット７とは、画素ユニットグループ１における１つの対角線上においてそれぞれ第２の色の光と第３の色の光とを放出する２つのサブ画素を共用する。画素ユニットグループ１が発光するとき、第１の画素ユニット６と第２の画素ユニット７とは画素ユニットグループ１における対角線上に位置する異なる色の光を放出する２つのサブ画素を共用するとともに、第１の画素ユニット６と第２の画素ユニット７とにおいて共用されていない２つのサブ画素は同じ色の光を放出するため、画素ユニットグループ１の表示がより均一になる。
【００３０】
本願の一実施例において、画素ユニットグループ１では、列方向における２つのサブ画素の距離は、行方向における２つのサブ画素の距離の２倍である。なお、２つのサブ画素の距離とは、２つのサブ画素の中心の間の距離である。図９に示すように、本願の実施例により提供される画素ディスプレイモジュールにおいて、画素ユニットグループ１の中で列方向における２つのサブ画素の距離は行方向における２つのサブ画素の距離の２倍である。第１の画素ユニット６と第２の画素ユニット７とは異なる色の光を放出する２つのサブ画素を共用するため、表示が行われる際に、駆動形態の作用により、サブ画素を表示するとき、第１の画素ユニット６と第２の画素ユニット７とにより実際に表示される表示ユニットはいずれも正方形であり、表示装置の表示信号と表示スケールとに影響を与えない。
【００３１】
列方向における２つのサブ画素の距離を行方向における２つのサブ画素の距離の２倍にするために、図９に示すように、本願の一実施例において、各画素ユニットグループ１における４つのサブ画素の形状はいずれも四角形である。なお、各画素ユニットグループ１における４つのサブ画素の形状は具体的な応用シーンによって選択することができ、例えば、正方形であってもよく、四角形であり且つ四角形の４つの角が丸い角であってもよく、本願はサブ画素の形状について制限しない。
【００３２】
本願の一実施例が提供する画素ディスプレイモジュールを製造するためのマスクは、複数の開口領域を含み、当該複数の開口領域のうちの１つの開口領域は、隣接する２つの画素ユニットグループにおいて隣接し且つ同一の行又は同一の列に位置する同じ色の光を放出する２つのサブ画素に対応する。画素の構造において、異なる色のサブ画素は異なる蒸着手法によって製造されるため、異なる色のサブ画素に対応するマスクもそれぞれ異なる。本願の実施例により提供される画素ディスプレイモジュールを製造するためのマスクは、１つの開口が隣接する２つの画素ユニットグループにおける隣接し且つ同じ色の光を放出する２つのサブ画素に対応するため、ＰＰＩが高い表示装置では、マスク製造の難しさを下げることができるとともに、蒸着によって得られる画素の構造もより品質が良くなる。
【００３３】
以上は本願の好ましい実施例に過ぎず、本願を制限するものにはならない。本願の精神と原則の範囲内で行われる変更や同等の置換などは、すべて本願の保護範囲に属するべきである。
【図１】
2020533648.tif 000003
【図２】
2020533648.tif 000004
【図３】
2020533648.tif 000005
【図４】
2020533648.tif 000006
【図５】
2020533648.tif 000007
【図６】
2020533648.tif 000008
【図７】
2020533648.tif 000009
【図８】
2020533648.tif 000010
【図９】
2020533648.tif 000011
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
アレイ状に配列された複数の画素ユニットグループを含み、各前記画素ユニットグループはアレイ状に配列された４つのサブ画素を含み、
各前記画素ユニットグループの１つの対角線上に位置する２つの前記サブ画素は同一である第１の色の光を放出し、各前記画素ユニットグループの他の１つの対角線上に位置する２つの前記サブ画素はそれぞれ第２の色の光と第３の色の光を放出し、
第１の方向において隣接する２つの前記画素ユニットグループは、前記第１の方向と直交する第２の方向においてずれるように配列される
ことを特徴とする画素ディスプレイモジュール。
【請求項２】
前記第１の方向において隣接する２つの前記画素ユニットグループは、前記第２の方向に沿って１つの前記サブ画素の距離だけずれる
ことを特徴とする請求項１に記載の画素ディスプレイモジュール。
【請求項３】
前記第２の方向においてずれる２つの前記画素ユニットグループにおける、隣接し且つ同一の行又は同一の列に位置する２つのサブ画素は同じ色の光を放出する
ことを特徴とする請求項２に記載の画素ディスプレイモジュール。
【請求項４】
前記第２の方向においてずれる２つの前記画素ユニットグループにおける、隣接し且つ同一の行又は同一の列に位置する２つのサブ画素は同一である第１の色の光を放出する
ことを特徴とする請求項３に記載の画素ディスプレイモジュール。
【請求項５】
前記第１の色の光は緑色の光である
ことを特徴とする請求項４に記載の画素ディスプレイモジュール。
【請求項６】
前記第１の色の光は緑色の光であり、前記第２の色の光と前記第３の色の光はそれぞれ赤色の光と青色の光であり、又は、
前記第１の色の光は青色の光であり、前記第２の色の光と前記第３の色の光はそれぞれ赤色の光と緑色の光であり、又は、
前記第１の色の光は赤色の光であり、前記第２の色の光と前記第３の色の光はそれぞれ緑色の光と青色の光である
ことを特徴とする請求項１乃至４のいずれか一項に記載の画素ディスプレイモジュール。
【請求項７】
前記画素ユニットグループは四角形である
ことを特徴とする請求項５に記載の画素ディスプレイモジュール。
【請求項８】
各前記画素ユニットグループは、第１の画素ユニットと第２の画素ユニットとを含み、
前記第１の画素ユニットと前記第２の画素ユニットとはそれぞれ、異なる色の光を放出する３つの前記サブ画素によって構成され、前記画素ユニットグループが発光する場合、前記第１の画素ユニットと前記第２の画素ユニットとは、前記画素ユニットグループにおける１つの対角線上の、それぞれ第２の色の光と第３の色の光を放出する２つの前記サブ画素を共用する
ことを特徴とする請求項７に記載の画素ディスプレイモジュール。
【請求項９】
各前記画素ユニットグループにおいて、列方向における２つのサブ画素の距離は、行方向における２つのサブ画素の距離の２倍である
ことを特徴とする請求項８に記載の画素ディスプレイモジュール。
【請求項１０】
複数の開口領域を含み、
少なくとも１つの前記開口領域は、隣接する２つの画素ユニットグループにおいて隣接し且つ同一の行又は同一の列に位置する、同じ色の光を放出する２つのサブ画素に対応する
ことを特徴とする画素ディスプレイモジュールを製造するためのマスク。
【国際調査報告】
2020533648.tif 000012
2020533648.tif 000013
2020533648.tif 000014
2020533648.tif 000015